(57)【要約】【解決手段】２つのチャネル２、３から成るストロー１であって、これらチャネルが、互いに結合されて、１つの閉鎖された断面を形成し、この断面内において、縁部領域４が、オーバラップし、且つ、密閉的に、積み重なっているかまたは係合し合っており、その際、前記チャネル２、３が、共通の対称軸線５に関して対称的に形成されていること、その際、ａ）この対称軸線５に関するこれらチャネル２、３の高さｈが、幅ｂよりも小さく、及び／または、ｂ）内側に位置する前記チャネル３の断面が、外側に位置する前記チャネル２の断面と同じか、または、幾分大きく形成されており、従って、一方が他方の中に位置するこれらチャネル２、３の間で、応力が存在する。
2021524766.tif 000002
【特許請求の範囲】
【請求項１】
２つのチャネル（２、３）から成るストロー（１）であって、
これらチャネルが、互いに結合されて、１つの閉鎖された断面を形成し、
この断面内において、縁部領域（４）が、オーバラップし、且つ、密閉的に、積み重なっているかまたは互いの中へ係合している様式の上記ストローにおいて、
前記チャネル（２、３）が、共通の対称軸線（５）に関して対称的に形成されていること、その際、
ａ）この対称軸線（５）に関するこれらチャネル（２、３）の高さ（ｈ）が、幅（ｂ）よりも小さく、及び／または、
ｂ）内側に位置する前記チャネル（３）の断面が、外側に位置する前記チャネル（２）の断面と同じか、または、幾分大きく形成されており、従って、一方が他方の中に位置するこれらチャネル（２、３）の間で、応力が存在する、
ことを特徴とするストロー（１）。
【請求項２】
両方の前記チャネル（２、３）の結合は、一方の他方の中への押し入れ、または、一方の他方の中への差し込みによって行われることを特徴とする請求項１に記載のストロー（１）。
【請求項３】
前記一方の他方の中への押し入れの際に、内側の前記チャネル（３）の端部は、外側の前記チャネル（２）の端部内へと装入され、且つ、
次いで、ストロー長手方向における力作用によって、これらチャネル（２、３）の相対移動が、行われることを特徴とする請求項２に記載のストロー（１）。
【請求項４】
前記一方の他方の中への差し込みの際に、前記チャネル（２、３）は、開口した側でもって重ね合わせて置かれ、且つ、
前記ストロー長手方向に対して横向きの力作用によって、一方が他方の中へと押圧されることを特徴とする請求項２に記載のストロー（１）。
【請求項５】
前記チャネル（２、３）の前記厚さは、前記一方の他方の中への押し入れ、または、前記一方の他方の中への差し込みの際の、少なくとも内側に位置する前記チャネル（３）の弾性的な変形を、人の手の力作用のもとで許容することを特徴とする請求項２から４のいずれか一つに記載のストロー（１）。
【請求項６】
オーバラップした前記縁部領域（４）の際に、少なくとも外側の前記チャネル（２）において、前記縁部領域（４）は、内方へと、このチャネル（２）内へと屈曲されており、
従って、これら縁部領域（４）が、内側の前記チャネル（３）の前記縁部領域（４）を、周囲から把持することを特徴とする請求項１から５のいずれか一つに記載のストロー（１）。
【請求項７】
両方の前記チャネル（２、３）の前記縁部領域（４）は、内方へと屈曲されて構成されており、
従って、外側の前記チャネル（２）の前記縁部領域（４）が、内側の前記チャネル（３）の前記縁部領域（４）を周囲から把持し、且つ、内側の前記チャネル（３）のこれら縁部領域（４）が、外側の前記チャネル（２）の、屈曲されていない領域に至るまで、この外側のチャネルに当接していることを特徴とする請求項１から６のいずれか一つに記載のストロー（１）。
【請求項８】
内側の前記チャネル（３）は、屈曲部を有するまたは屈曲部の無いの条片として構成されていることを特徴とする請求項６または７に記載のストロー（１）。
【請求項９】
前記チャネル（２、３）の前記縁部領域（４）の屈曲は、角状に小さな湾曲半径を有してまたは湾曲の形状において行われることを特徴とする請求項６から８のいずれか一つに記載のストロー（１）。
【請求項１０】
組み合わせられた前記チャネル（２、３）は、断面において、楕円形状、または、多角形状または円形状に追従することを特徴とする請求項１から９のいずれか一つに記載のストロー（１）。
【請求項１１】
前記ストロー（１）は、湾曲形状に形成されており、
強固なチャネル（２または３）と、高可撓性の材料から成るチャネル（３または２）との組み合わせ、または、高可撓性の材料から成るチャネル（２、３）の組み合わせが、湾曲されたストローとして提供され、且つ、
強固な材料から成る前記チャネル（２または３）、もしくは、高可撓性の材料から成る一方のチャネル（２または３）が予湾曲されており、それに対して、それぞれに、他方の前記チャネル（３または２）が、一方の他方の中への差し込みの際に、少なくとも形状により係合するように適合することを特徴とする請求項１から１０のいずれか一つに記載のストロー（１）。
【請求項１２】
その条片が極めて小さな断面係数を有しているので、適合する内側の前記チャネル（３）は、該条片として形成されていることを特徴とする請求項１１に記載のストロー（１）。
【請求項１３】
少なくとも外側の前記チャネル（２）において、チャネルエッジ部（７）が丸くされて形成されていることを特徴とする請求項１から１２のいずれか一つに記載のストロー（１）。
【請求項１４】
結合された前記チャネル（２、３）の間で、力による係合及び／または摩擦による係合が存在し、これら係合が、分離のため、人の力で克服可能であることを特徴とする請求項１から１３のいずれか一つに記載のストロー（１）。
【請求項１５】
一方が他方の中へと押し入れられた前記チャネル（２、３）の引き離しのための、消費されるべき力は、１と５０Ｎとの間の値、有利には８と２０Ｎとの間の値であることを特徴とする請求項１４に記載のストロー（１）。
【請求項１６】
それら前記チャネルの内の少なくとも一方のチャネルが高可撓性の材料からから成るこれらチャネル（２、３）の分離は、他方の前記チャネル（２、３）からの、一方の前記チャネルの引き離しによって行うことができることを特徴とする請求項１から１５のいずれか一つに記載のストロー（１）。
【発明の詳細な説明】
【技術分野】
【０００１】
本発明は、２つのチャネルから組み合わせ可能な、数回にわたって使用可能なストローに関する。
【背景技術】
【０００２】
数回にわたっての使用は、ストローが同様に内側も洗浄可能であることを、前提条件として必要とする。
【０００３】
特許文献１および特許文献２から、ストローを洗浄するために、該ストローを、小さなブラッシング装置によって突き通すことが公知である。ストローの洗浄のこの技術は、手間暇がかかり、且つ、ストロー価格という観点から、最高に採算がとれない。
【０００４】
自動食器洗浄に有用なストローを得るために、２つのチャネルから成るストローが開発され、これらチャネルが、飲用のために、一方が他方の中へ、１つの小管体へと結合可能であり、且つ、洗浄のために、相互に分離可能である。
【０００５】
特許文献３は、従って、１つのストローを記載しており、このストローにおいて、両方のチャネルが、縁部領域内において、それぞれに、別個に配置された案内部、例えば蟻継ぎ案内部を有しており、これら蟻継ぎ案内部が、一方を他方の中へと押し入れ可能であり、従って、閉鎖された１つの小管体が得られる。
【０００６】
特許文献４内において記載された円筒形のストローは、工業技術的により容易に製造可能であり、これらストローにおいて、両方のチャネルの縁部領域が、寄せ集めの後にそれぞれにオーバラップし、且つ、積み重なっている。
【０００７】
このストローは、少なくとも１つのチャネルが、断面内において、１８０°よりも大きなシェル横断面を有することを前提条件として必要とする。
【先行技術文献】
【特許文献】
【０００８】
【特許文献１】米国特許出願公開第２０１７／０２  １６８  ９０  Ａ１号明細書
【特許文献２】米国特許第６，０３９，４９０  Ｃ号明細書
【特許文献３】韓国特許出願公開第１０  ２０１８  ０００  １３３  １  Ａ号明細書
【特許文献４】米国特許出願公開第２０１９／００３  ８０  ５８  Ａ１号明細書
【発明の概要】
【発明が解決しようとする課題】
【０００９】
本発明の課題は、２つのチャネルの結合の際に、１つのストローのための閉鎖された横断面を、確実に且つ安いコストで保証することである。
【課題を解決するための手段】
【００１０】
この課題は、請求項１の特徴によって解決される。有利な構成は、従属請求項の対象である。
【発明の効果】
【００１１】
２つのチャネルから成るストローであって、
これらチャネルが、互いに結合されて、１つの閉鎖された断面を形成し、
この断面内において、縁部領域が、オーバラップし、且つ、密閉的に、積み重なっているか、及び／または、互いの中へ係合している様式の上記ストローのために、
本発明に従い、
前記チャネルが、共通の対称軸線に関して対称的に形成されていることが意図され、
その際、
ａ）この対称軸線に関するこれらチャネルの高さ（ｈ）が、幅（ｂ）よりも小さく、及び／または、
ｂ）内側に位置する前記チャネルの断面が、外側に位置する前記チャネルの断面と同じか、または、幾分大きく形成されており、従って、一方が他方の中に位置するこれらチャネルの間で、応力が存在する。
【００１２】
これらチャネル横断面が、その際、楕円形状、湾曲形状、多角形状、円形状、及び／または、台形状に構成されていることは可能である。極めて特別の場合、同様に一方のチャネルが条片として形成されていることは可能である。
【００１３】
対称軸線は、その際、ストロー長手方向に対する垂線である。
【００１４】
両方のチャネルの結合は、一方の他方の中への押し入れ、または、一方の他方の中への差し込みによって行われる。
【００１５】
一方の他方の中への押し入れは、一方のチャネルの端部が、他方のチャネルの端部内へと装入され、且つ、次いで、ストロー長手方向における力作用によって、これらチャネルの相対移動が行われることを意味する。この技術は、鋼、特殊鋼、または強固なプラスチックのような、強固なチャネル材料において使用される。
【００１６】
一方の他方の中への差し込みの際に、これらチャネルは、開口した側でもって重ね合わせて置かれ、且つ、ストロー長手方向に対して横向きの力作用によって、一方が他方の中へと押圧される。この目的のために、少なくとも一方のチャネルは、例えばシリコンのような、高可撓性の材料から成る必要があり、この材料が、一方の他方の中への差し込みの後、次いで膨張し、少なくとも、他方のチャネルとの形状的な嵌合を形成する。
本発明に従い、同様に両方のチャネルが高可撓性の材料から成ることも意図される。
【００１７】
有利には、チャネルの厚さは、一方の他方の中への押し入れ、または、一方の他方の中への差し込みの際の、少なくとも内側に位置するチャネルの弾性的な変形を、人の手の力作用のもとで許容する。
【００１８】
円形状でない断面の構成によって、平行に延びる案内縁部または案内湾曲部が、ストロー長手方向において形成され、これら案内縁部または案内湾曲部が、有利な方法で、相互のこれらチャネルの旋回を、確実に排除する。
このことは、オーバラップする縁部領域の幅が、チャネル長さにわたって一定であり、且つ、断面が、これに伴って常に閉鎖され、且つ、両側で密閉された状態で留まることを、結果として招く。
【００１９】
第１の構成において、少なくとも外側のチャネルにおいて、縁部領域は、内方へと、このチャネル内へと屈曲されており、従って、これら縁部領域が、内側のチャネルの縁部領域を、周囲から把持する。
【００２０】
他の構成において、両方のチャネルの縁部領域は、内方へと屈曲されて構成されており、従って、外側のチャネルの縁部領域が、内側のチャネルの縁部領域を周囲から把持し、且つ、内側のチャネルのこれら縁部領域が、外側のチャネルの、屈曲されていない領域に至るまで、この外側のチャネルに当接している。
【００２１】
これら両方の構成の特別の場合として、内側のチャネルが、屈曲部を有するまたは屈曲部の無いの条片として構成されていることは意図される。
条片として、平坦な面または軽度に湾曲された面を有するそのような条片が理解される。
【００２２】
屈曲は、ここで使用された趣旨において、チャネルの縁部領域の外側の長手方向部分が、所定の寸法だけ、歪曲されることを意味する。この屈曲は、角状に小さな湾曲半径を有して、または、湾曲の形状において行われ得る。
【００２３】
屈曲の代わりに、チャネルは、断面において、同様にただ楕円形状だけに追従可能である。
【００２４】
如何なる付加的な案内部も、これらチャネルにおいて配置されてなく、むしろ、これら案内部が、これらチャネルの幾何学的形状から、いわば、自ずから与えられることは、重要である。このことは、かなり費用を低減し、取り扱いを簡略化し、摩耗を防止し、且つ、例えば、そこで蟻継ぎ案内部内において未だに飲料成分の残余分が集積可能である、引用された特許文献３よりも衛生的である。
【００２５】
ストローの使用の際の快適な飲用感覚が生起されるために、少なくとも外側のチャネルにおいて、チャネルエッジ部が丸くされて形成されているべきである。
【００２６】
結合されたチャネルの密閉性のために、一方が他方の中へと押し入れられた、または、一方が他方の中へと差し込まれたチャネルの間で、力による係合及び／または摩擦による係合が存在し、これら係合が、分離のため、人の力で克服可能である場合、合目的である。
【００２７】
一方が他方の中へと押し入れられたチャネルの引き離しのための、消費されるべき力は、１と５０Ｎとの間の値、有利には８と２０Ｎとの間の値であるべきである。
【００２８】
高可撓性の材料の使用の際、両方のチャネルは、バナナの皮の除去に類似して、相互に引き離され得る。
【００２９】
更に別の構成は、強固なチャネルと、高可撓性の材料から成るチャネルとの組み合わせ、または、高可撓性の材料から成るチャネルの組み合わせが、湾曲されたストローとして提供されることを意図する。
【００３０】
湾曲形状とは、その際、組み合わせられたチャネルが、全チャネル長さにわたって、または、ただ所定の部分、有利には飲用開口部の手前の最後の３分の１内においてだけ曲率を有することを意味する。
【００３１】
強固な材料から成るこれらチャネル、もしくは、高可撓性の材料から成る一方のチャネルは、その際、予湾曲されており、それに対して、それぞれに、第２のチャネルが、一方の他方の中への差し込みの際に、少なくとも形状により係合するように適合する。
【００３２】
有利には、その条片が極めて小さな断面係数を有しているので、適合するチャネルは、該条片として形成されており、且つ、このことによって、全チャネル長さにわたっての結合が密に留まる。
【００３３】
既に上述された利点と並んで、
幅（ｂ）よりも小さな高さ（ｈ）を有する、本発明に従うストローは、
更なる利点を有しており：即ち、
−チャネル開口部が、円筒形のチャネルの際よりも大きく、このことが、洗浄をより容易にする、
−互いに離間するような移動の際の、人の手の操作面がより大きくなり、このことが、この工程を容易にし、且つ、特許文献４内におけるような付加的なグリップ部の使用を、不必要にする、
−外側のチャネルの外側面がより大きくなり、従って、適当な広告がより効果的に付与され得る、
−両方のチャネルが高可撓性の材料から成る場合、ストローが、非密閉になること無しに、同様に湾曲することも可能である、
ことの利点を有している。
【００３４】
本発明を、図に基づいて説明する。
【図面の簡単な説明】
【００３５】
【図１】円形状の断面を有するストローの図である。
【図２】楕円形状の断面を有するストローの図である。
【図３】屈曲された外側のチャネルを有するストローの図である。
【図４】屈曲されたチャネルを有するストローの図である。
【図５】湾曲された外側のチャネルを有する、条片としてのチャネルを有する、図３または４に従う、特別の場合の図である。
【図６】台形状の外側のチャネルを有する図である。
【図７】特殊鋼と高可撓性の材料との組み合わせの図である。
【図８】湾曲されたストローの図である。
【図９】組み合わせられたチャネルの、更に別の有利な断面の図である。
【発明を実施するための形態】
【００３６】
図１は、２つのチャネル２、３を有するストローを示しており、これらチャネルが、円形状の断面を有する１つのストロー１へと、一方が他方の中へと押し入れられている。
内側に位置するチャネル３の断面は、外側に位置するチャネル２の断面と同じか、または、幾分大きく形成されており、従って、一方が他方の中に位置するチャネル２、３の間で、応力が存在する。
【００３７】
この構成において、図示された理想的な状態、即ちオーバラップ領域がストロー１の長さに関して可能な限り一定であること、を達成するには問題点である。その際、正確な位置決めを表示するマーキングは有益である。
【００３８】
更に別に図示された解決策において、この問題点は存在しない。何故ならば、これら解決策が、これらの幾何学的形状に基づいて、チャネル２、３の相互の正確な位置決めを保証するからである。
その断面内において縁部領域４がオーバラップしており且つ密閉的に積み重なっているかまたは互いの中へ係合している、一方が他方の中へと押し入れられて１つの閉鎖された該断面を形成する、２つのチャネル２、３から成るこのストロー１において、これらチャネル２、３は、それぞれに共通の対称軸線５に関して対称的に形成されており、その際、この対称軸線５に関するこれらチャネル２、３の高さ（ｈ）が、幅（ｂ）よりも小さい。
【００３９】
図２は、楕円形状を有する１つの構成を、４つの図において、それに属して１つの図が断面において示している。
この構成は、同様に非常に良く高可撓性のチャネル材料の際にも有用であることが実証された。両方のチャネル２、３において、チャネルエッジ部７は、丸くされて形成されている。
【００４０】
図３に従う構成の際に、外側のチャネル２において、縁部領域４は、内方へと、このチャネル２内へと屈曲されており、従って、これら縁部領域４が、内側のチャネル３の縁部領域４を周囲から把持する。
【００４１】
図４内において図示された構成において、両方のチャネル２、３の縁部領域４は、内方へと屈曲されて構成されており、従って、外側のチャネル２の縁部領域４が、内側のチャネル３の縁部領域４を周囲から把持し、且つ、内側のチャネル３のこれら縁部領域４が、外側のチャネル２の、屈曲されていない領域に至るまで、この外側のチャネルに当接している。
【００４２】
図から見て取れるように、屈曲の際に、チャネル２、３の縁部領域４の外側の長手方向部分は、所定の寸法だけ歪曲される。この屈曲は、−図示されているように−角状に小さな湾曲半径を有して行われる。この湾曲半径がより大きく、且つ、円弧の形状を有する場合、この断面は楕円形状に近似される。
【００４３】
図３および４内において図示されたストロー１の特別の場合は、内側のチャネル３が、屈曲部を有するまたは屈曲部の無いの条片として構成されていることは意図される。
このことを、図５が、湾曲された外側のチャネル２において、および、図６が、台形状の外側のチャネル２において示している。
【００４４】
図７は、１つのストロー１を示しており、このストローにおいて、外側のチャネル２が特殊鋼から成っており、且つ、内側のチャネル３が、シリコンのような高可撓性の材料から成っている。これらチャネル２、３の組み合わせは、一方の他方の中への差し込みによって行われ、且つ、分離が、図示されているように、内側のチャネル３の引き離しによって行われる。
【００４５】
図８内において、湾曲されたストロー１が、２つの図において図示されている。同様にここでも、外側のチャネル２は特殊鋼から成っている。この外側のチャネルは、飲用開口部の手前の上側の３分の１において、予湾曲されている。内側のチャネルは、ここで、高可撓性の材料から成る条片である。
【００４６】
これらチャネル２、３の組み合わせは、一方の他方の中への差し込みによって行われ、且つ、分離が、内側のチャネル３の引き離しによって行われる。
内側のチャネル３としての条片の使用は、一方の他方の中への差し込みの際に外側のチャネル２に追従し、且つ、この外側のチャネルの屈曲された領域６において密閉的に当接するこの条片が、極めて小さな断面係数を有していることの利点を有している。
【００４７】
図９は、組み合わせられたチャネルの、四角形、六角形、および、三角形に、それぞれに屈曲された、更に別の有利な断面を示している。
【００４８】
高さ（ｈ）と幅（ｂ）との、選択された幾何学的形状により、屈曲部または湾曲部は、チャネル２、３の寄せ集めの際に、外側のチャネル２のための案内となる。
【００４９】
このことは、ストロー１の長さにわたっての一定のオーバラップ領域を保証する。選択された幾何学的形状と、使用された材料とは、湾曲されたストロー１を許容し、または、このストロー１が、飲用の際に湾曲可能である。
【００５０】
最後に、更に、有利な構成を参照するように指示され、この構成において、一方のチャネルが、端部において、スプーン状に形成されている。このストローは、これに伴って、同様にスプーン機能も与えられている。有利には、スプーン状の形成は、強固な材料から成っている一方のチャネルにおいて行われる。
【符号の説明】
【００５１】
１    ストロー
２    外側のチャネル
３    内側のチャネル
４    チャネルの縁部領域
５    対称軸線
６    チャネルの屈曲された領域
７    チャネルエッジ部
【図１】
2021524766.tif 000003
【図２】
2021524766.tif 000004
【図３】
2021524766.tif 000005
【図４】
2021524766.tif 000006
【図５】
2021524766.tif 000007
【図６】
2021524766.tif 000008
【図７】
2021524766.tif 000009
【図８】
2021524766.tif 000010
【図９】
2021524766.tif 000011
【国際調査報告】
2021524766.tif 000012
2021524766.tif 000013
2021524766.tif 000014
2021524766.tif 000015
2021524766.tif 000016